(57)【要約】【課題】簡単な作業でドア開き方向を変更することのできるドラム式回転槽を有する電気機器を提供する。【解決手段】ドラム式洗濯機１は、ドア２０の上端を洗濯機本体１０の上突出部１１に対して上ヒンジピン３１によって回動可能に取り付け、ドア２０の下端を洗濯機本体１０の下突出部１２に対して下ヒンジピン３５によって回動可能に取り付けている。上ヒンジピン３１を抜き取り自在に保持する本体側上ピン保持穴３２およびドア側上ピン保持穴３３は、ドラム式洗濯機１の左右両側のそれぞれに設けられている。下ヒンジピン３５を抜き取り自在に保持する本体側下ピン保持穴３６およびドア側下ピン保持穴３７は、ドラム式洗濯機１の左右両側のそれぞれに設けられている。【選択図】図２
2020202958.tif 000002
【特許請求の範囲】
【請求項１】
ドラム式回転槽を有し、当該ドラム式回転槽を覆うドアのドア開き方向を変更可能な電気機器であって、
機器本体と、
左右両側のそれぞれの上部にドア側上ピン保持穴を有し、左右両側のそれぞれの下部にドア側下ピン保持穴を有するドアと、
前記機器本体の左右両側のそれぞれに設けられると共に、前記ドア側上ピン保持穴の上側で当該ドア側上ピン保持穴に重なる本体側上ピン保持穴を有する上ヒンジ保持部と、
前記機器本体の左右両側のそれぞれに設けられると共に、前記ドア側下ピン保持穴の下側で当該ドア側下ピン保持穴に重なる本体側下ピン保持穴を有する下ヒンジ保持部と、
前記本体側上ピン保持穴の上側から当該本体側上ピン保持穴に挿通され、前記ドア側上ピン保持穴に抜き取り自在に差し込まれて、前記ドアの上端を前記機器本体に対して回動可能に取り付ける上ヒンジピンと、
前記本体側下ピン保持穴と前記ドア側下ピン保持穴との両方に抜き取り自在に挿通され、前記ドアの下端を前記機器本体に対して回動可能に取り付ける下ヒンジピンと、を備えていることを特徴とする電気機器。
【請求項２】
請求項１に記載の電気機器であって、
前記上ヒンジ保持部は、保持係止部を有しており、
前記上ヒンジピンは、ピン係止部を有しており、
前記上ヒンジピンが前記ドア側上ピン保持穴に差し込まれた状態で、前記ドアと前記上ヒンジピンとは、前記上ヒンジピンの軸周り方向に相互に位置決めされ、
前記ドアの前記機器本体に対する閉状態では、平面視で、前記ピン係止部が前記保持係止部に重なり、前記上ヒンジピンが抜き取り不可となる一方、
前記ドアの前記機器本体に対する開状態では、平面視で、前記ピン係止部が前記保持係止部に重ならず、前記上ヒンジピンが抜き取り可能となることを特徴とする電気機器。
【請求項３】
請求項１または２に記載の電気機器であって、
前記ドアは、左右両側のそれぞれにドアロックを有していることを特徴とする電気機器。
【請求項４】
請求項１または２に記載の電気機器であって、
前記ドアは、左右方向の中央部に１つのドアロックを有していることを特徴とする電気機器。
【請求項５】
請求項１から４の何れか１項に記載の電気機器であって、
前記ドアの下方に、当該ドアのヒンジ軸と同軸上の回動軸を有するドア落下防止部材が、左右両側のそれぞれに配置されていることを特徴とする電気機器。
【請求項６】
請求項１から４の何れか１項に記載の電気機器であって、
前記ドア側下ピン保持穴および前記下ヒンジピンは、前記ドアが開かれている状態で前記上ヒンジピンが抜き取られたとき、前記ドアが内側に倒れることを抑制し、前記ドアが外側に倒れることを抑制しない構造であることを特徴とする電気機器。
【発明の詳細な説明】
【技術分野】
【０００１】
本発明は、ドラム式回転槽を有する電気機器に関するものであり、特にドラム式回転槽を覆うドアのドア開き方向を変更可能な電気機器に関する。
【背景技術】
【０００２】
前開き型のドアを有するドラム式洗濯機では、設置箇所での周囲状況に合わせてドア開き方向（右開き／左開き）が選択される場合がある。このため、ドラム式洗濯機では、通常、右開きおよび左開きの２種類の製品がラインアップされて販売されている。
【０００３】
しかしながら、購入時では左開きの製品であったものの、引っ越しなどで設置箇所が変わると右開きが必要になる場合もある。このような場合のために、部品の付け替えなどにより、ドア開き方向を変更できるようにしたドラム式洗濯機が提案されている（例えば、特許文献１，２）。
【先行技術文献】
【特許文献】
【０００４】
【特許文献１】特開２０１８−７８２７号公報
【特許文献２】特開２００４−１０５２６８号公報
【発明の概要】
【発明が解決しようとする課題】
【０００５】
しかしながら、上記特許文献１，２に開示のドラム式洗濯機では、ドア開き方向を変更するにあたって、ドアヒンジごとの付け替えが必要であり、付け替え部品が多くなっているため、その作業が煩雑となるといった問題がある。ドア開き方向の変更作業が煩雑である場合、ユーザ自身がその変更作業を行うことは困難である。また、ユーザ自身がドア開き方向の変更作業を行えたとしても、作業時にドア落下を生じさせる、もしくは、作業ミス（例えば、ビス固定された部材を付け替えた後のビスの締め忘れ）などによって作業後にドラム式洗濯機が不安全な状態になり得るといった問題がある。
【０００６】
本発明は、上記課題に鑑みてなされたものであり、簡単な作業でドア開き方向を変更することのできるドラム式回転槽を有する電気機器を提供することを目的とする。
【課題を解決するための手段】
【０００７】
上記の課題を解決するために、本発明は、ドラム式回転槽を有し、当該ドラム式回転槽を覆うドアのドア開き方向を変更可能な電気機器であって、機器本体と、左右両側のそれぞれの上部にドア側上ピン保持穴を有し、左右両側のそれぞれの下部にドア側下ピン保持穴を有するドアと、前記機器本体の左右両側のそれぞれに設けられると共に、前記ドア側上ピン保持穴の上側で当該ドア側上ピン保持穴に重なる本体側上ピン保持穴を有する上ヒンジ保持部と、前記機器本体の左右両側のそれぞれに設けられると共に、前記ドア側下ピン保持穴の下側で当該ドア側下ピン保持穴に重なる本体側下ピン保持穴を有する下ヒンジ保持部と、前記本体側上ピン保持穴の上側から当該本体側上ピン保持穴に挿通され、前記ドア側上ピン保持穴に抜き取り自在に差し込まれて、前記ドアの上端を前記機器本体に対して回動可能に取り付ける上ヒンジピンと、前記本体側下ピン保持穴と前記ドア側下ピン保持穴との両方に抜き取り自在に挿通され、前記ドアの下端を前記機器本体に対して回動可能に取り付ける下ヒンジピンと、を備えていることを特徴としている。
【発明の効果】
【０００８】
本発明の電気機器は、ドア開き方向を変更するときの作業を、上ヒンジピンおよび下ヒンジピンの抜き差し、およびドアの取り外し／取り付けのみによって行うことができ、その作業を簡単なものとすることができるといった効果を奏する。
【図面の簡単な説明】
【０００９】
【図１】ドラム式洗濯機を斜め前方かつ斜め上方から見たときの外観を示す斜視図である。
【図２】ドラム式洗濯機のドア取付構造を示す分解斜視図である。
【図３】ヒンジカバーを取り外したドラム式洗濯機を示す分解斜視図である。
【図４】ヒンジカバーを外されたドラム式洗濯機の前方左側角部を斜め上から見た拡大斜視図である。
【図５】上ヒンジピンを抜き取ったドラム式洗濯機を示す分解斜視図である。
【図６】（ａ）は上ヒンジピンを示す斜視図であり、（ｂ）は図４の状態から上ヒンジピンが取り外された状態のドラム式洗濯機の前方左側角部の拡大上面図である。
【図７】ヒンジカバーを外されたドラム式洗濯機の前方左側角部を斜め上から見た拡大斜視図である。
【図８】ドアを取り外したドラム式洗濯機を示す分解斜視図である。
【図９】ドアの下面図である。
【図１０】上ヒンジピンとピン抜き取り規制突起との位置関係の一例を示す平面図であり、（ａ）はドアが閉じている状態、（ｂ）はドアが９０°の角度で開いている状態、（ｃ）はドアが最大角度で開いている状態を示す。
【図１１】上ヒンジピンとピン抜き取り規制突起との位置関係の他の例を示す平面図であり、（ａ）はドアが閉じている状態、（ｂ）はドアが９０°の角度で開いている状態、（ｃ）はドアが最大角度で開いている状態を示す。
【図１２】図３の変形例であり、ヒンジカバーを取り外したドラム式洗濯機を示す分解斜視図である。
【図１３】図３の変形例であり、ヒンジカバーを取り外したドラム式洗濯機を示す分解斜視図である。
【図１４】上ヒンジピンの抜き取り時におけるドアの落下防止構造の第１具体例を示す斜視図であり、（ａ）はドアが閉じられた状態、（ｂ）はドアが開かれた状態を示している。
【図１５】上ヒンジピンの抜き取り時におけるドアの落下防止構造の第２具体例を示す斜視図であり、（ａ）はドアが閉じられた状態、（ｂ）はドアが開かれた状態を示している。
【図１６】ドアに設けられるドア側下ピン保持穴と、下突出部に設けられる下ヒンジピンとの関係を示す図であり、（ａ）はドアの一端における拡大下面図、（ｂ）は下突出部に載せられたドアの一端における拡大上面図、（ｃ），（ｄ）は（ｂ）のＡ−Ａ断面図である。
【発明を実施するための形態】
【００１０】
〔実施の形態１〕
以下、本発明の実施の形態について、図面を参照して詳細に説明する。図１は、本実施の形態１に係るドラム式洗濯機１を斜め前方かつ斜め上方から見たときの外観を示す斜視図である。図２は、本実施の形態１に係るドラム式洗濯機１のドア取付構造を示す分解斜視図である。尚、ドラム式洗濯機１は、洗濯と乾燥とを行うことができるドラム式洗濯乾燥機と、乾燥を行わず洗濯のみを行うドラム式洗濯機とを総称したものである。また、本発明は、ドラム式回転槽を有する電気機器に適用されるものであるが、このような電気機器は、ドラム式洗濯機以外にドラム式乾燥機をも含むものである。
【００１１】
ドラム式洗濯機（電気機器）１は、大略的には、洗濯機本体（機器本体）１０とドア２０とにより構成されており、洗濯機本体１０は、内部にドラム式回転槽を有し、その前面に洗濯物投入口１０１を有している。ドア２０は、洗濯物投入口１０１を覆うように洗濯機本体１０の前面に設けられている。すなわち、ドア２０は洗濯機本体１０の前面を開閉する前開きドアとして設けられている。ドラム式洗濯機１におけるドア２０は、ドア開き方向（右開きもしくは左開き）を自在に変更可能なものであるが、図２はドア２０が左開きの状態を示している。尚、以下の説明中における左側および右側は、洗濯機本体１０を正面から見ての左側および右側を示している。
【００１２】
本実施の形態１に係るドラム式洗濯機１では、ドア２０は矩形形状のドアとされている。ドア２０の内面側には、ドア２０の閉鎖時に洗濯物投入口１０１を液密で閉じるための突出閉止部２１が設けられている。また、洗濯機本体１０の前面側において、ドア２０の上方には上突出部（上ヒンジ保持部）１１が設けられ、ドア２０の下方には下突出部（下ヒンジ保持部）１２が設けられている。ドア２０は、その閉鎖時に上突出部１１と下突出部１２との間に挟まれるようにして配置されるものであり、ドア２０が閉じられた状態では、ドア２０、上突出部１１および下突出部１２の前面が同一面内に存在する（ドラム式洗濯機１の前面が、ドア２０、上突出部１１および下突出部１２によってフラットとなる）。
【００１３】
ドア２０は、左右の何れかの一端側で上下２つのヒンジによって洗濯機本体１０に対して回動自在に軸支されている。これらのヒンジにおけるヒンジ軸受は、上突出部１１および下突出部１２の内部に存在する。また、ドア２０は、ドア開き方向を変更するときに、ヒンジピン（上ヒンジピン３１および下ヒンジピン３５）の差し替えのみでドア開き方向の変更が可能となっている。以下、ドア２０の取り付け構造、およびドア開き方向を変更するときの作業手順について図３〜図９を参照して具体的に説明する。
【００１４】
図３は、ヒンジカバー３０を取り外したドラム式洗濯機１を示す分解斜視図である。図３に示すように、ドラム式洗濯機１において、上突出部１１の上面前方にはヒンジカバー３０が設けられており、ドア２０のドア開き方向を変更する場合、最初にヒンジカバー３０を取り外す。
【００１５】
図４は、ヒンジカバー３０を外されたドラム式洗濯機１の前方左側角部を斜め上から見た拡大上面図である。尚、図４では、ドア２０は閉じられた状態となっている。図４に示すように、ドラム式洗濯機１からヒンジカバー３０を取り外すことで、ドラム式洗濯機１の上面において、上ヒンジピン３１が外部に露出する。尚、ドア２０が左開きであるとき、上ヒンジピン３１は左側にのみ取り付けられており、右側では上ヒンジピン３１を差し込むための本体側上ピン保持穴３２（図３参照）が露出している。
【００１６】
上ヒンジピン３１は、上突出部１１に設けられた本体側上ピン保持穴３２およびドア２０に設けられたドア側上ピン保持穴３３（図２参照）の両方に挿通するように差し込まれている。すなわち、ドア２０の上端側のヒンジは、上ヒンジピン３１をヒンジ軸とし、本体側上ピン保持穴３２をヒンジ軸受としている。本体側上ピン保持穴３２およびドア側上ピン保持穴３３は、ドラム式洗濯機１において左右両側に対称に設けられている。
【００１７】
続いて、図５に示すように、露出した上ヒンジピン３１を上方に抜き取る。図５は、上ヒンジピン３１を抜き取ったドラム式洗濯機１を示す分解斜視図である。ドラム式洗濯機１において、上ヒンジピン３１は、ドア２０が開かれた状態でのみ抜き取り可能な構成とすることが好ましい。これは、ドア２０が閉じられた状態で上ヒンジピン３１の抜き取りが可能であれば、ドラム式洗濯機１の運転中にも上ヒンジピン３１の抜き取りが可能となるためである。ドア２０が開かれた状態でのみ上ヒンジピン３１の抜き取りを可能とすれば、ドラム式洗濯機１の運転中に上ヒンジピン３１が抜き取られることを確実に防止できる。これは、ドラム式洗濯機１の運転中は、ドアロックによりドア２０を開くことができないためである。さらに、ドア２０が閉じられた状態での上ヒンジピン３１の抜き取りを不可とすることで、ドラム式洗濯機１の運転中に生じる振動などで上ヒンジピン３１が抜け落ちることも防止できる。
【００１８】
具体的には、上ヒンジピン３１は、図６（ａ）に示すように、上端に上Ｄカット部（ピン係止部）３１１、下端に下Ｄカット部３１２が形成されている。ドア２０には、図６（ｂ）に示すように、上ヒンジピン３１を差し込むドア側上ピン保持穴３３の底部に、上ヒンジピン３１の下Ｄカット部３１２と嵌合するＤカット穴３３１が形成されている。上ヒンジピン３１がドア側上ピン保持穴３３に差し込まれている状態では、下Ｄカット部３１２がＤカット穴３３１に嵌合することにより、上ヒンジピン３１はドア２０と一体的に回動する。言い換えれば、ドア２０と上ヒンジピン３１とは、上ヒンジピン３１の軸周り方向に相互に位置決めされる。
【００１９】
一方、洗濯機本体１０側では、上突出部１１における本体側上ピン保持穴３２の近傍にピン抜き取り規制突起（保持係止部）３４が設けられている。ピン抜き取り規制突起３４は、上突出部１１の左右両側に設けられており、本体側上ピン保持穴３２側に向かって突出するように配置されている。そして、ドア２０が閉じられた状態では、図４に示すように、上ヒンジピン３１における上Ｄカット部３１１の一部がピン抜き取り規制突起３４と平面視において重畳（ピン抜き取り規制突起３４が上側）するものとなる。このため、ドア２０が閉じられた状態で上ヒンジピン３１を抜き取ろうとした場合、上ヒンジピン３１の上Ｄカット部３１１がピン抜き取り規制突起３４に当接し、上ヒンジピン３１を抜き取ることはできない。これに対し、ドア２０が開かれた状態では、図７に示すように、上ヒンジピン３１の上Ｄカット部３１１がピン抜き取り規制突起３４と重畳せず、上ヒンジピン３１の抜き取りが可能となる。
【００２０】
上ヒンジピン３１が抜き取られると、図８に示すように、ドア２０を洗濯機本体１０から取り外すことができる。図８はドア２０を取り外したドラム式洗濯機１を示す分解斜視図である。
【００２１】
上ヒンジピン３１を抜き取った後は、ドア２０の上端を上突出部１１よりも外方もしくは前方へ抜き出してから持ち上げることで、ドア２０を洗濯機本体１０から取り外すことができる。図８に示すように、ドア２０を取り外すことで下突出部１２の上面に下ヒンジピン３５が露出する。また、下突出部１２の上面には下ヒンジピン３５を差し込むための本体側下ピン保持穴３６が左右両側に設けられており、ドア２０が左開きであるとき、下ヒンジピン３５は左側にのみ取り付けられている。すなわち、ドア２０の下端側のヒンジは、下ヒンジピン３５をヒンジ軸とし、本体側下ピン保持穴３６をヒンジ軸受としている。ドア２０の下面においては、図９に示すように、下ヒンジピン３５を差し込むためのドア側下ピン保持穴３７が左右両側に設けられている。
【００２２】
ドア２０を取り外した後は、下ヒンジピン３５および上ヒンジピン３１の取り付け位置を左右入れ替えたうえで、上記説明と逆の手順でドア２０を洗濯機本体１０に取り付けることで、ドア２０のドア開き方向を変更することができる。
【００２３】
すなわち、上記例のように左開きから右開きへの変更を行う場合は、左側の本体側下ピン保持穴３６に差し込まれている下ヒンジピン３５を右側の本体側下ピン保持穴３６に付け替え、下ヒンジピン３５にドア側下ピン保持穴３７を差し込むようにしてドア２０を取り付ける。そして、右側の本体側上ピン保持穴３２およびドア側上ピン保持穴３３の両方に挿通するように上ヒンジピン３１を差し込む。最後に、取り外していたヒンジカバー３０を再び取り付けることで、ドア２０の開き方向の変更作業が完了する。
【００２４】
以上のように、本実施の形態１に係るドア２０の取り付け構造では、ドア２０の開き方向を変更するときの作業（但し、ヒンジカバー３０の取り外し／取り付け工程は除く）を、上ヒンジピン３１および下ヒンジピン３５の抜き差し、およびドア２０の取り外し／取り付けのみによって行うことができる。この作業では、ドアヒンジごとの付け替えは不要であり、付け替え部品も少ないため、その作業はユーザでも行える簡単なものとなる。
【００２５】
また、付け替えの際に一旦取り外すことが必要となる部品（上ヒンジピン３１、下ヒンジピン３５、およびドア２０）において、ビス固定されているものも存在しない。このため、作業ミス（ビス固定された部材を付け替えた後のビスの締め忘れ）によって作業後にドラム式洗濯機１が不安全な状態になることもない。尚、ヒンジカバー３０が洗濯機本体１０にビス固定されるものであったとして、ヒンジカバー３０自体はヒンジの構成部品ではないため、ヒンジカバー３０の固定用ビスの締め忘れによってドラム式洗濯機１が不安全な状態になることはない。
【００２６】
上記説明では、上ヒンジピン３１は、ドア２０が開かれた状態でのみ抜き取り可能な構成とすることを説明した。このため、上述のドラム式洗濯機１は、本体側上ピン保持穴３２の近傍にピン抜き取り規制突起３４を設けており、ピン抜き取り規制突起３４の先端は本体側上ピン保持穴３２に向かって突出するように配置されている。
【００２７】
ここで、図１０は、本体側上ピン保持穴３２に挿入された上ヒンジピン３１とピン抜き取り規制突起３４との位置関係の一例を示す平面図であり、（ａ）はドア２０が閉じている状態、（ｂ）はドア２０が９０°の角度で開いている状態、（ｃ）はドア２０が最大角度で開いている状態を示す。尚、図１０の例は、ピン抜き取り規制突起３４の先端エッジ３４ａが直線状である場合を示している。
【００２８】
図１０（ａ）に示すように、ドア２０が閉じられた状態では、上ヒンジピン３１がピン抜き取り規制突起３４と重畳するため、上ヒンジピン３１は抜き取り不可である。一方、図１０（ｂ）に示すように、ドア２０が開かれた状態では、上ヒンジピン３１がピン抜き取り規制突起３４と重畳しないため、上ヒンジピン３１は抜き取り可能である。但し、この場合、上ヒンジピン３１を抜き取り可能なドア２０が開かれた状態とは、ドア２０がほぼ９０°の角度で開かれている状態のみを指す。実際には、ドア２０の開放時の最大角度は９０°以上（例えば１００°）であり、図１０（ｃ）に示すように、ドア２０が最大角度で開かれた状態では、上ヒンジピン３１の一部がピン抜き取り規制突起３４と重畳して上ヒンジピン３１は抜き取り不可となる。このため、図１０に示すピン抜き取り規制突起３４の形状では、ドア２０の開き方向の変更作業において作業性が悪くなる。
【００２９】
図１１は、本体側上ピン保持穴３２に挿入された上ヒンジピン３１とピン抜き取り規制突起３４との位置関係の他の例を示す平面図であり、（ａ）はドア２０が閉じている状態、（ｂ）はドア２０が９０°の角度で開いている状態、（ｃ）はドア２０が最大角度で開いている状態を示す。尚、図１１の例では、ピン抜き取り規制突起３４の先端エッジ３４ａに斜めの切欠き３４ｂが設けられている。
【００３０】
図１１に示すピン抜き取り規制突起３４の形状では、図１１（ａ）に示すように、ドア２０が閉じられた状態では、上ヒンジピン３１がピン抜き取り規制突起３４と重畳するため、上ヒンジピン３１は抜き取り不可である。一方、図１１（ｂ），（ｃ）に示すように、ドア２０が開かれた状態では、ドア２０の角度が９０°であっても最大角度（例えば１００°）であっても、上ヒンジピン３１がピン抜き取り規制突起３４と重畳せず、上ヒンジピン３１は抜き取り可能である。すなわち、図１１に示すピン抜き取り規制突起３４の形状では、ドア２０の角度が９０°から最大角度までの何れの状態でも上ヒンジピン３１の抜き取りが可能であり、ドア２０の開き方向の変更作業において作業性が向上する。
【００３１】
本実施の形態１に係るドラム式洗濯機１では、左右何れかの本体側上ピン保持穴３２に上ヒンジピン３１が挿入されている否かを検知するセンサ（近接センサなど）を設けていてもよい。これにより、万一、ユーザが上ヒンジピン３１の差し込みを忘れた場合には、上記センサの検知に基づいて警告（アラームや警告メッセージなど）を発することができる。尚、上述したドア開き方向の変更作業は、安全のためにドラム式洗濯機１の主電源をオフした状態で行うことが好ましく、ドラム式洗濯機１の主電源がオフされていれば、変更作業のために上ヒンジピン３１が抜き取られてもドラム式洗濯機１は警告を発しない。そして、ドラム式洗濯機１の主電源がオンされた時点で、上ヒンジピン３１の差し込み忘れがあれば警告が発される。また、ユーザがドラム式洗濯機１の主電源がオンのままで変更作業を行おうとした場合には、上ヒンジピン３１を抜き取った時点で警告が発されるため、主電源がオン状態での変更作業を抑制することもできる。
【００３２】
尚、上記説明では、ドア２０のドア開き方向を変更する場合、最初にヒンジカバー３０を取り外すことを説明した。また、図３では、ヒンジカバー３０は上突出部１１の上面前方を全体的に覆う１つの部材とされていた。しかしながら、本発明はこれに限定されるものではなく、例えば図１２および図１３に示すように、ヒンジカバーは上突出部１１の上面前方における左右端部をそれぞれ覆う２つのヒンジカバー３０’や３０”とされていてもよい。
【００３３】
図１２および図１３に示す構成では、例えば、上突出部１１の前面に操作パネルが設けられている場合（すなわち、操作パネルの後方に上端側のヒンジが配置されている場合）などに、操作パネルを取り外すことなく、ヒンジカバー３０’や３０”のみを取り外してドア開き方向の変更作業を行うことができる。また、図１３に示す構成では、ヒンジピン３１の挿抜がより容易となる。
【００３４】
〔実施の形態２〕
洗濯機においては、動作中にドアや蓋が開放されることを防止するため、ドアロックや蓋ロックが必要である。当然ながら、ドラム式洗濯機１においてもドアロックは設けられている。通常、前開き型のドアを有するドラム式洗濯機において、ドアロックは、ドアヒンジと反対側の端部（開放側端部）に設けられる。このような場合、ドア開き方向を変更すれば、それに伴ってドアロック位置の変更（ドアロックの左右付け替え）が必要となる。ドアロック位置を変更できるドラム式洗濯機自体は公知であるが、ドアロック位置の変更はドア開き方向の変更以上にユーザにとって煩雑な作業である。
【００３５】
本実施の形態２に係るドラム式洗濯機１は、ドア２０のドア開き方向を変更した場合に、これに伴う煩雑なドアロック位置の変更作業を省略できるものである。
【００３６】
第１の具体例としては、ドア２０の左右両側のそれぞれに計２つのドアロックを設けることが考えられる。この例では、左開きまたは右開きの何れにおいても、ドア２０の開放側端部にドアロックが存在するため、確実なロック効果を得ることができる。
【００３７】
第２の具体例としては、ドア２０の左右方向中央部（より具体的には洗濯物投入口１０１の上側もしくは下側）に、１つのドアロックを設けることが考えられる。この例では、１つのドアロックをドア開き方向に関わらず同じように使用できるため、第１の具体例に比べてコスト面で有利となる。
【００３８】
〔実施の形態３〕
実施の形態１で説明したように、上ヒンジピン３１は、ドラム式洗濯機１の運転中の抜き取りを防止できるように、ドア２０が開かれた状態でのみ抜き取り可能な構成とすることが好ましい。この場合、ドラム式洗濯機１は、上ヒンジピン３１が抜き取られたときに、ドア２０が自重によって落下することを防止する構造を有していることが好ましい。本実施の形態３では、上ヒンジピン３１の抜き取り時におけるドア２０の落下防止構造について説明する。
【００３９】
第１具体例としては、図１４に示すように、ドア２０の下方、かつ、下突出部１２の上方に、それぞれがドア２０のヒンジ軸と同軸上の回動軸を有する２つのサポートバー４０をドア落下防止部材として左右両側に配置することが考えられる。この例では、上ヒンジピン３１を抜き取るときには、一方のサポートバー４０をドア２０と同様に回動させ、開かれたドア２０の直下にサポートバー４０を位置させる。例えば、左開きのドア２０において上ヒンジピン３１を抜き取るときには、左側のサポートバー４０をドア２０と同じように回動させる。
【００４０】
上ヒンジピン３１が抜き取られてドア２０の上端の支持が無くなると、ドア２０は、自重によって先端側が下がるように傾斜する。第１の具体例では、傾斜したドア２０はサポートバー４０の上に載って支持されるため、ドア２０が自重によって落下することを防止できる。
【００４１】
第２具体例としては、図１５に示すように、下突出部１２を２枚の下突出パネル１２１にて構成し、これらの下突出パネル１２１をドア落下防止部材とすべく観音開きのカバー構造とすることが考えられる。そして、左右それぞれの下突出パネル１２１が、ドア２０のヒンジ軸と同軸上の回動軸を有するものとする。この例では、上ヒンジピン３１を抜き取るときには、一方の下突出パネル１２１をドア２０と同様に回動させ、開かれたドア２０の直下に下突出パネル１２１を位置させる。例えば、左開きのドア２０において上ヒンジピン３１を抜き取るときには、左側の下突出パネル１２１をドア２０と同じように回動させる。
【００４２】
これにより、上ヒンジピン３１が抜き取られてドア２０の上端の支持が無くなり、ドア２０の先端側が自重によって下がるように傾いても、傾斜したドア２０は下突出パネル１２１の上に載って支持される。このため、ドア２０が自重によって落下することを防止できる。
【００４３】
尚、第２の具体例では、一方（図１５の例では左側）の下突出パネル１２１を、排水フィルター５０のカバーとして兼用することも可能である。
【００４４】
〔実施の形態４〕
本実施の形態４では、上ヒンジピン３１の抜き取り時におけるドア２０の落下防止構造の他の例について説明する。図１６は、ドア２０に設けられるドア側下ピン保持穴３７と、下突出部１２に設けられる下ヒンジピン３５との関係を示す図であり、（ａ）はドア２０の一端における拡大下面図、（ｂ）は下突出部１２に載せられたドア２０の一端における拡大上面図、（ｃ），（ｄ）は（ｂ）のＡ−Ａ断面図である。
【００４５】
図１６（ａ）に示すように、ドア２０に設けられるドア側下ピン保持穴３７は、ドア２０の下面では下ヒンジピン３５に合わせた円形とされているが、内部はドア２０の厚さ方向に拡がった断面長穴状の空間を有している。そして、ドア２０下面の円形は内部の長穴の一端側に寄せられて形成されている。
【００４６】
このため、図１６（ｂ）に示すように、ドア側下ピン保持穴３７に下ヒンジピン３５が挿入されているとき、下ヒンジピン３５はドア側下ピン保持穴３７の内部の長穴に対して一端側に寄せられるような配置となる。具体的には、ドア２０が開かれている状態では、下ヒンジピン３５はドア側下ピン保持穴３７の外側（左右方向の外側）に寄っており、下ヒンジピン３５の内側ではドア側下ピン保持穴３７との間に空間が生じている。
【００４７】
ドア２０が開かれている状態で上ヒンジピン３１を抜き取るとき、ドア２０は上端の支持を失って倒れやすくなる。このとき、ドア２０は、内面側に突出閉止部２１（図２参照）を有しているため、ドア２０の自重によっては内側に倒れようとする。
【００４８】
しかしながら、ドア２０が自重によっては内側（左右方向の内側）に倒れようとする場合、図１６（ｃ）に示すように、ドア側下ピン保持穴３７の外側内壁に接触した下ヒンジピン３５がストッパーとなり、ドア２０は倒れにくい（傾斜しにくい）状態となる。このようにしてドア２０の自重による傾斜が抑制されることで、結果的にドア２０の落下も抑制できる。
【００４９】
一方、上ヒンジピン３１を抜き取った後、ドア２０を取り外すときには、図１６（ｄ）に示すように、ドア２０を外側に傾ければよい。すなわち、下ヒンジピン３５はドア側下ピン保持穴３７の内側内壁とは接触していないため、ドア２０を外側に傾ける場合には下ヒンジピン３５がストッパーとならない。このため、ユーザは、ドア２０を外側に容易に傾けることができ、傾けたドア２０を容易に上方に抜き取ることができる。
【００５０】
尚、ドア側下ピン保持穴３７は、ドア２０の下面でも内部と同様に長穴状としてもよい。この場合は、図１６（ｄ）に示すようにドア２０を外側に傾け、そのまま傾けた方向にドア２０を抜き取ることができるため、より容易にドア２０の挿抜が可能となる。
【００５１】
以上のように、上記実施の形態に係るドラム式洗濯機は、ドア開き方向を変更可能なドラム式洗濯機であって、洗濯機本体と、左右両側のそれぞれの上部にドア側上ピン保持穴を有し、左右両側のそれぞれの下部にドア側下ピン保持穴を有するドアと、前記洗濯機本体の左右両側のそれぞれに設けられると共に、前記ドア側上ピン保持穴の上側で当該ドア側上ピン保持穴に重なる本体側上ピン保持穴を有する上ヒンジ保持部と、前記洗濯機本体の左右両側のそれぞれに設けられると共に、前記ドア側下ピン保持穴の下側で当該ドア側下ピン保持穴に重なる本体側下ピン保持穴を有する下ヒンジ保持部と、前記本体側上ピン保持穴の上側から当該本体側上ピン保持穴に挿通され、前記ドア側上ピン保持穴に抜き取り自在に差し込まれて、前記ドアの上端を前記洗濯機本体に対して回動可能に取り付ける上ヒンジピンと、前記本体側下ピン保持穴と前記ドア側下ピン保持穴との両方に抜き取り自在に挿通され、前記ドアの下端を前記洗濯機本体に対して回動可能に取り付ける下ヒンジピンと、を備えていることを特徴としている。
【００５２】
上記の構成によれば、ドア開き方向を変更するときの作業を、上ヒンジピンおよび下ヒンジピンの抜き差し、およびドアの取り外し／取り付けのみによって行うことができる。この作業では、ドアヒンジごとの付け替えは不要であり、付け替え部品も少ないため、その作業をユーザでも行える簡単なものとすることができる。
【００５３】
また、付け替えのために一旦取り外すことが必要となる部品（上ヒンジピン、下ヒンジピン、およびドア）において、ビス固定されているものも存在しないため、作業ミス（ビスの締め忘れ）によって作業後にドラム式洗濯機が不安全な状態になることも防止できる。
【００５４】
また、上記ドラム式洗濯機では、前記上ヒンジ保持部は、保持係止部を有しており、前記上ヒンジピンは、ピン係止部を有しており、前記上ヒンジピンが前記ドア側上ピン保持穴に差し込まれた状態で、前記ドアと前記上ヒンジピンとは、前記上ヒンジピンの軸周り方向に相互に位置決めされ、前記ドアの前記洗濯機本体に対する閉状態では、平面視で、前記ピン係止部が前記保持係止部に重なり、前記上ヒンジピンが抜き取り不可となる一方、前記ドアの前記洗濯機本体に対する開状態では、平面視で、前記ピン係止部が前記保持係止部に重ならず、前記上ヒンジピンが抜き取り可能となる構成とすることができる。
【００５５】
上記の構成によれば、上ヒンジピンは、ドアが開かれた状態でのみ抜き取り可能となるため、ドラム式洗濯機の運転中に上ヒンジピンが抜き取られることや、ドラム式洗濯機の運転中に生じる振動などで上ヒンジピンが抜け落ちることを防止できる。
【００５６】
また、上記ドラム式洗濯機では、前記ドアは、左右両側のそれぞれにドアロックを有している構成とすることができる。
【００５７】
上記の構成によれば、ドア開き方向を変更した場合に、これに伴う煩雑なドアロック位置の変更作業を省略することができる。また、この場合、ドアが左開きまたは右開きの何れの場合においても、ドアの開放側端部にドアロックが存在するため、確実なロック効果を得ることができる。
【００５８】
また、上記ドラム式洗濯機では、前記ドアは、左右方向の中央部に１つのドアロックを有している構成とすることができる。
【００５９】
上記の構成によれば、ドア開き方向を変更した場合に、これに伴う煩雑なドアロック位置の変更作業を省略することができる。また、この場合、１つのドアロックをドア開き方向に関わらず同じように使用できるため、コスト面で有利となる。
【００６０】
また、上記ドラム式洗濯機は、前記ドアの下方に、当該ドアのヒンジ軸と同軸上の回動軸を有するドア落下防止部材が、左右両側のそれぞれに配置されている構成とすることができる。
【００６１】
上記の構成によれば、上ヒンジピンが抜き取られてドアの上端の支持が無くなるとき、自重によって先端側が下がるように傾斜したドアを、ドア落下防止部材の上に載せて支持することができる。これにより、ドアが自重によって落下することを防止できる。
【００６２】
また、上記ドラム式洗濯機では、前記ドア側下ピン保持穴および前記下ヒンジピンは、前記ドアが開かれている状態で前記上ヒンジピンが抜き取られたとき、前記ドアが内側に倒れることを抑制し、前記ドアが外側に倒れることを抑制しない構造とすることができる。
【００６３】
上記の構成によれば、ドアが開かれている状態で上ヒンジピンを抜き取るとき、ドアの自重によって倒れやすい内側へは、ドア側下ピン保持穴および下ヒンジピンによってドアが倒れることを抑制できる。一方、ドアを洗濯機本体から取り外すために傾けるときには、ドアを外側に傾ければよい。
【００６４】
今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００６５】
１    ドラム式洗濯機（電気機器）
１０    洗濯機本体（機器本体）
１０１    洗濯物投入口
１１    上突出部（上ヒンジ保持部）
１２    下突出部（下ヒンジ保持部）
１２１    下突出パネル（ドア落下防止部材）
２０    ドア
２１    突出閉止部
３０，３０’    ヒンジカバー
３１    上ヒンジピン
３１１    上Ｄカット部（ピン係止部）
３１２    下Ｄカット部
３２    本体側上ピン保持穴
３３    ドア側上ピン保持穴
３３１    Ｄカット穴
３４    ピン抜き取り規制突起（保持係止部）
３５    下ヒンジピン
３６    本体側下ピン保持穴
３７    ドア側下ピン保持穴
４０    サポートバー（ドア落下防止部材）
５０    排水フィルター
【図１】
2020202958.tif 000003
【図２】
2020202958.tif 000004
【図３】
2020202958.tif 000005
【図４】
2020202958.tif 000006
【図５】
2020202958.tif 000007
【図６】
2020202958.tif 000008
【図７】
2020202958.tif 000009
【図８】
2020202958.tif 000010
【図９】
2020202958.tif 000011
【図１０】
2020202958.tif 000012
【図１１】
2020202958.tif 000013
【図１２】
2020202958.tif 000014
【図１３】
2020202958.tif 000015
【図１４】
2020202958.tif 000016
【図１５】
2020202958.tif 000017
【図１６】
2020202958.tif 000018